(57)【要約】【課題】本発明は、熱水殺菌工程を含む精製水の製造処理を、効率的かつ短時間で行うことができる医薬用精製水の製造方法、及び製造装置を提供することを目的とする。【解決手段】精製水の製造工程開始にあたり熱水殺菌工程を行う医薬用精製水の製造方法であって、被処理水の水温６０℃以上での透過水の導電率が４５μＳ／ｃｍ以下の逆浸透膜装置を用い、熱水殺菌工程では、逆浸透膜装置の濃縮水、及び電気式脱イオン装置の濃縮水、電極水、脱塩水の、原水タンクへの返送、または系外への排出を、昇温、均温、降温の各工程で適宜切換することにより、熱水殺菌工程を効率的に行う医薬用精製水の製造方法、及び製造装置である。【選択図】図１
2011147880.tif 000002
【特許請求の範囲】
【請求項１】
原水が供給される原水タンクと、逆浸透膜装置と、電気式脱イオン装置と、前記電気式脱イオン装置の脱塩水が供給される処理水タンクが順に配置され、前記原水タンクから前記逆浸透膜装置に供給される被処理水を６０℃以上の温度に加熱する加熱手段とを備えた系を用いる医薬品用精製水の製造方法であって、
前記逆浸透膜装置の被処理水の水温６０℃以上における、前記逆浸透膜装置の透過水の導電率が４５μＳ／ｃｍ以下の逆浸透膜装置を使用し、精製水の製造を開始するにあたり系内を熱水により殺菌するための昇温、均温及び降温の各工程において、
（ａ）前記昇温工程では、前記加熱手段により前記原水タンクから前記逆浸透膜装置に供給される被処理水を６０℃以上の温度に加熱するとともに、前記原水タンクへの原水の供給を止め、前記逆浸透膜装置の濃縮水を排出し、前記電気式脱イオン装置の脱塩水、濃縮水、電極水は前記原水タンクへ還流させる、
（ｂ）前記均温工程では、前記加熱を継続しつつ、前記原水タンクへの原水の流入を止め、前記逆浸透膜装置の濃縮水および前記電気式脱イオン装置の濃縮水、電極水、脱塩水を原水タンクへ還流させる、
（ｃ）前記降温工程では、前記加熱を停止するとともに、前記原水タンクへ原水を供給し、前記逆浸透膜装置の濃縮水および前記電気式脱イオン装置の濃縮水、電極水を放出し、前記電気式脱イオン装置の脱塩水は処理タンクへ還流させる、
ことを特徴とする医薬品用精製水の製造方法。
【請求項２】
昇温工程における被処理水の昇温速度が、５℃／分以下であることを特徴とする請求項１に記載の医薬品用精製水の製造方法。
【請求項３】
降温工程における被処理水の降温速度が、５℃／分以下であることを特徴とする請求項１又は２に記載の医薬品用精製水の製造方法。
【請求項４】
原水が供給される原水タンクと、逆浸透膜装置と、電気式脱イオン装置と、前記電気式脱イオン装置の脱塩水が供給される処理水タンクが順に配置され、原水タンクから前記逆浸透膜装置に供給される被処理水を６０℃以上の温度に加熱する加熱手段を備えた医薬品用精製水の製造装置において、
前記逆浸透膜装置の被処理水の水温６０℃以上における、前記逆浸透膜装置の透過水の導電率が４５μＳ／ｃｍ以下の逆浸透膜装置を使用し、原水の供給配管及び脱塩水の供給配管にそれぞれ開閉弁を設け、前記逆浸透膜装置の濃縮水排出配管と原水タンク間、前記電気式脱イオン装置の濃縮水排出配管と前記原水タンク間、前記電気式脱イオン装置の電極水排出配管と前記原水タンク間及び前記電気式脱イオン装置の脱塩水排出配管の前記開閉弁の上流部と前記原水タンク間に、それぞれ切換弁の切換えにより濃縮水、電極水及び脱塩水を前記原水タンクに還流可能な独立又は共通の還流配管を設けるとともに、殺菌するための昇温、均温及び降温の各工程において、前記開閉弁、前記切換弁および前記加熱手段を以下のように制御する制御手段を備えたことを特徴とする医薬品用精製水の製造装置。
（ａ）前記昇温工程では、前記加熱手段を駆動させ、前記原水の供給配管を閉鎖、電気式脱イオン装置の脱塩水、濃縮水、電極水の流路を処理水タンク側から原水タンクへの還流配管側に切換える、
（ｂ）前記均温工程においては、さらに、前記逆浸透膜装置の濃縮水の流路を排出側から原水タンクへの還流管路側に切換え、
（ｃ）前記降温工程においては、前記加熱手段を停止し、前記原水の供給配管を開放、前記逆浸透膜装置の濃縮水及び前記電気式脱イオン装置の濃縮水、電極水の流路を原水タンクへの還流管路側から排出側に切換える。
【請求項５】
前記電気式脱イオン装置の濃縮水排出配管と前記原水タンク間の還流配管と前記電気式脱イオン装置の電極水排出配管と前記原水タンク間の還流配管は、共通配管であることを特徴とする請求項４に記載の医薬品用精製水の製造装置。
【請求項６】
前記逆浸透膜装置は、水温６０℃以上の被処理水が供給されたときの脱塩率が８５％以上である
ことを特徴とする請求項４又は５に記載の医薬品用精製水の製造装置。
【発明の詳細な説明】
【技術分野】
【０００１】
本発明は、医薬品用精製水の製造方法及び製造装置に係わり、特に精製水の製造前に、系内を効率的に殺菌できるようにした医薬品用精製水の製造方法及び製造装置に関する。
【背景技術】
【０００２】
従来より、医薬品製造等に用いられる精製水の製造装置として、水道水等の原水を、逆浸透膜装置と、電気式脱イオン装置を組み合わせた系で処理するようにしたものが知られている。
特に医薬品製造用の精製水の製造には、生菌の発生を防止するための厳密な管理が要求されるため、精製水の製造処理前に、系内の各装置を、定期的（例えば週１回）に殺菌する必要がある。
精製水製造装置内部の殺菌は、通常６０℃以上の温度の熱水を装置内部に通水することにより行われる。
【０００３】
ところで、特許文献１（特開平８−２５２６００号公報）には、常温の原水を逆浸透膜装置及びイオン交換装置に通水し、この処理水を一旦純水タンクに貯留したものを、熱交換器で９０℃以上の高温に加熱し、この加熱水をＵＦ装置に通水後、被処理水タンクに戻して逆浸透膜装置、イオン交換装置等を熱水殺菌する方法が記載されている。
【０００４】
しかしながら、特許文献１に記載の方法では、系全体を熱水殺菌するためには、純水タンクの純水を加熱してＵＦ装置に通水した後、この熱水を原水タンクに還流させて原水タンクの原水を熱水で置換する必要があり、殺菌のための昇温工程、均温工程、降温工程に長時間を要する上に、その間、系内の逆浸透膜装置やイオン交換装置に熱負荷が加わるため、イオン交換装置の劣化が促進されるという問題がある。
【０００５】
また、特許文献２（特開２００４−７４１０９号公報）には、常温状態の原水を事前に逆浸透膜、電気式脱イオン装置（電気再生式純水製造装置）に通して純水とし、この純水で原水タンク内の貯留水を置換したものを原水加熱器で加熱して、逆浸透膜、電気式脱イオン装置、原水タンクと循環させて熱殺菌する方法が記載されている。
しかし、この方法では、熱殺菌に際して、原水タンク内の原水を、一旦、この系を通過して処理された純水で置換して、この原水タンク内の純水を加熱して系内を循環させる方法であり、原水タンクの原水と純水の置換に長時間を要する上に、系内の逆浸透膜装置や電気式脱イオン装置に熱負荷が加わるため、イオン交換装置の劣化が促進されるという問題がある。
さらに、特許文献３（特開２００５−２８８３３５号公報）には、第１三方弁及び第２三方弁の切換え操作により、一次純水システムの循環経路を形成し、この状態で、一次純水システムの被処理水タンク内の被処理水を軟水に置換した上で、この軟水を第１熱交換器で加熱し、逆浸透膜装置、脱イオン装置に一括送水して加熱殺菌する方法が記載されている。
【０００６】
しかし、特許文献３の方法も被処理水タンクの被処理水を軟水で置換するのに長時間を要し、全体の処理効率が良くないという問題がある。
【先行技術文献】
【特許文献】
【０００７】
【特許文献１】特開平８−２５２６００号公報
【特許文献２】特開２００４−７４１０９号公報
【特許文献３】特開２００５−２８８３３５号公報
【発明の概要】
【発明が解決しようとする課題】
【０００８】
本発明は、上記課題を解決するためになされたものであり、熱水殺菌工程を含む精製水製造処理において、殺菌工程に要する時間を短縮するとともに、原水タンクの原水を直接殺菌用の熱水として使用して処理水の無駄を大幅に節減した、医薬品用精製水を効率的に製造できる精製水製造方法、及び精製水製造装置を提供することを目的とする。
【課題を解決するための手段】
【０００９】
すなわち、本発明の医薬品用精製水の製造方法は、原水が供給される原水タンクと、逆浸透膜装置と、電気式脱イオン装置と、前記電気式脱イオン装置の脱塩水が供給される処理水タンクが順に配置され、前記原水タンクから前記逆浸透膜装置に供給される被処理水を６０℃以上の温度に加熱する加熱手段とを備えた系を用いる医薬用精製水の製造方法であって、
前記逆浸透膜装置として、被処理水の水温６０℃以上における透過水の導電率が４５μＳ／ｃｍ以下の逆浸透膜装置を使用し、精製水の製造を開始するにあたり系内を熱水により殺菌するための昇温、均温及び降温の各工程において、（ａ）昇温工程では、前記加熱手段により前記原水タンクから前記逆浸透膜装置に供給される被処理水を６０℃以上の温度に加熱するとともに、前記原水タンクへの原水の供給を止め、前記逆浸透膜装置の濃縮水を排出し、前記電気式脱イオン装置の脱塩水、濃縮水、電極水は前記原水タンクへ還流させる、（ｂ）均温工程では、前記加熱を継続しつつ、前記原水タンクへの原水の流入を止め、前記逆浸透膜装置の濃縮水および前記電気式脱イオン装置の濃縮水、電極水、脱塩水を原水タンクへ還流させる、（ｃ）降温工程では、前記加熱を停止するとともに、前記原水タンクへ原水を供給し、前記逆浸透膜装置の濃縮水および前記電気式脱イオン装置の濃縮水、電極水を放出し、前記電気式脱イオン装置の脱塩水は処理水タンクへ還流させる、ことを特徴とするものである。
【００１０】
また、本発明の医薬品用精製水の製造装置は、原水が供給される原水タンクと、逆浸透膜装置と、電気式脱イオン装置と、前記電気式脱イオン装置の脱塩水が供給される処理水タンクが順に配置され、原水タンクから前記逆浸透膜装置に供給される被処理水を６０℃以上の温度に加熱する加熱手段を備えた医薬品用精製水の製造装置であって、前記逆浸透膜装置の被処理水の水温６０℃以上における透過水の導電率が４５μＳ／ｃｍ以下の逆浸透膜装置を使用し、原水の供給配管及び脱塩水の供給配管にそれぞれ開閉弁を設け、前記逆浸透膜装置の濃縮水排出配管と原水タンク間、前記電気式脱イオン装置の濃縮水排出配管と前記原水タンク間、前記電気式脱イオン装置の電極水排出配管と前記原水タンク間及び前記電気式脱イオン装置の脱塩水排出配管の前記開閉弁の上流部と前記原水タンク間に、それぞれ切換弁の切換えにより濃縮水、電極水及び脱塩水を前記原水タンクに還流可能な独立又は共通の還流配管を設けるとともに、殺菌するための昇温、均温及び降温の各工程において、前記開閉弁、前記切換弁および前記加熱手段を以下のように制御する制御手段を備えたことを特徴とするものである。（ａ）昇温工程では、前記加熱手段を駆動させ、前記原水の供給配管を閉鎖、電気式脱イオン装置の脱塩水、濃縮水、電極水の流路を処理水タンク側から原水タンクへの還流配管側に切換える、（ｂ）均温工程においては、さらに、前記逆浸透膜装置の濃縮水の流路を排出側から原水タンクへの還流管路側に切換え、（ｃ）降温工程においては、前記加熱手段を停止し、前記原水の供給配管を開放、前記逆浸透膜装置の濃縮水及び前記電気式脱イオン装置の濃縮水、電極水の流路を原水タンクへの還流管路側から排出側に切換える。
【００１１】
本発明によれば、熱水殺菌工程では、原水タンクの原水を加熱して系内を循環させつつ精製するとともに、昇温工程、均温工程では電気式脱イオン装置の濃縮水、電極水も系内を循環させつつ、循環する熱水が所定の水質になるまでは逆浸透膜装置を機能させ所定の水質になった後には、逆浸透膜装置の濃縮水も循環させて極力熱の系外への放出を抑制して昇温を迅速に行わせ、降温工程では系内に原水を導入するとともに、逆浸透膜装置の濃縮水、電気式脱イオン装置の濃縮水、電極水を放出することにより、降温を迅速に行わせることにより、全体として、熱水殺菌に要する時間を大幅に短縮させることができ、さらに、殺菌処理に用いる処理水を大幅に節減できる。
また、殺菌工程終了時には、系内の水が精製されており、殺菌工程終了後、そのまま精製水製造処理工程に移行できる。従って、精製水の製造工程全体を効率的に行うことができ、また、このように効率化しても、電気式脱イオン装置の劣化を招くことがない。
【発明の効果】
【００１２】
このように、本発明によれば、医薬品等に用いられる精製水の製造処理全体に要する時間を、電気式脱イオン装置に対する負荷を増大させることなく、大幅に短縮することができる。また、殺菌処理に要する処理水やエネルギーを節減することができる。
【図面の簡単な説明】
【００１３】
【図１】本発明の一実施形態における医薬品用精製水の製造装置の概略構成を示す図である。
【図２】本発明の精製水製造方法の昇温工程におけるフローを示す図である。
【図３】本発明の精製水製造方法の均温工程におけるフローを示す図である。
【図４】本発明の精製水製造方法の降温工程におけるフローを示す図である。
【図５】本発明の精製水製造方法の精製水製造処理工程のフローを示す図である。
【図６】他の実施形態における医薬品用精製水の製造装置の構成を概略的に示す図である。
【発明を実施するための形態】
【００１４】
以下、本発明の詳細、ならびにその他の特徴及び利点について、図面を参照しながら説明する。
【００１５】
図１は、本発明の一実施形態における医薬品用精製水の製造装置の概略構成を示す図である。
図１に示すように、本実施形態における医薬品用精製水の製造装置１は、前処理水１０を処理する活性炭吸着装置１１と、この活性炭吸着装置１１の後段に、原水タンク１２が設置されており、活性炭吸着装置１１、原水タンク１２間は、開閉バルブ２１を備えた供給配管Ｌ１によって接続されている。
原水タンク１２の後段には、逆浸透膜装置１３と、電気式脱イオン装置１４と、が順次設置されており、更に電気式脱イオン装置１４の後段には、処理水タンク１５が設置されている。電気式脱イオン装置１４と処理水タンク１５は、開閉バルブ２２を備えた供給配管Ｌ２により接続されている。
また、原水タンク１２と逆浸透膜装置１３との間には、蒸気ヒータ１６が設けられている。図１では蒸気ヒータ１６は原水タンク１２と逆浸透膜装置１３との間に設置されているが、特に限定されるものではなく、また、加熱は蒸気ヒータに限定されるものではなく電熱ヒータ等も使用可能である。
【００１６】
なお、原水タンク１２と蒸気ヒータ１６との間の配管には、第１のポンプＰ１が設けられ、蒸気ヒータ１６と逆浸透膜装置１３との間の配管には、第２のポンプＰ２が設けられている。原水タンク１２内の水は、これらのポンプにより上記各装置に順次通水され、後述するように加熱殺菌時には、還流配管を介して、熱水を系内に循環させるようになっている。なお、図１では原水タンク１２と蒸気ヒータ１６との間には、第１のポンプＰ１が介挿入され、蒸気ヒータ１６と逆浸透膜装置１３との間には、第２のポンプＰ２が介挿入されているが、いずれか一方でもよく、設置する場所も特に限定されない。
また、原水タンク１２内、蒸気ヒータ１６と逆浸透膜装置１３との間の配管、電気式脱イオン装置１４と処理水タンク１５との間の配管には、それぞれ温度計Ｔ１、Ｔ２、Ｔ３が設けられており、加熱殺菌時には、各部の水温を検出して、図示を省略した制御手段により、昇温、均温、降温の各工程における各バルブの操作を行うとともに、蒸気ヒータ１６を制御して各部の水温を所定の殺菌温度に維持するようになっている。
【００１７】
このように、温度計Ｔ１〜Ｔ３は、加熱殺菌時に系内の水温が所定の殺菌温度であることを監視するとともに、所定の殺菌温度を維持するように図示を省略した制御手段により蒸気ヒータ１６をフィードバック制御する温度センサーとして用いられる。
【００１８】
逆浸透膜装置１３の濃縮水出口配管は、濃縮水排出バルブ２３を介して濃縮水排出配管Ｌ３に接続されている。濃縮水排出配管Ｌ３の濃縮水排出バルブ２３の上流部と原水タンク１２間には、後述する均熱工程において、濃縮水排出バルブ２３を閉じるとともに、管路に設けた切換えバルブ２４の開放により、逆浸透膜装置１３の濃縮水を原水タンク１２に還流させる還流配管Ｌ４が設けられている。
【００１９】
電気式脱イオン装置１４は、脱塩室１４１と濃縮室１４２と電極室１４３とから構成されており、脱塩水の供給配管Ｌ２の開閉バルブ２２の上流部と原水タンク１２間には、殺菌工程において、切換えバルブ２５の開放により、高温の脱塩水を原水タンク１２に還流させる還流配管Ｌ５が設けられている。
また、濃縮室１４２の濃縮水出口配管と、電極室１４３の電極水出口配管はそれぞれ共通の還流配管Ｌ６に接続されている。この共通の還流配管Ｌ６は分岐して一方の分岐管Ｌ６１は原水タンク１２に接続され、他方の分岐管Ｌ６２は濃縮水排出口に開口している。分岐管Ｌ６１、６２には、それぞれ流路を原水タンク１２側と濃縮水排出口側に切換えるバルブ２６、２７が設けられている。
【００２０】
なお、開閉バルブ２１、２２及び濃縮水排出バルブ２３、切換えバルブ２４〜２７は、加熱処理の各段階において、図示を省略した制御手段により開閉が行われる。そして、開閉バルブ２２と切換えバルブ２５、濃縮水排出バルブ２３と切換えバルブ２４、切換えバルブ２６と２７については、それぞれ同時に開閉制御が行われて、熱水の流路の切換えが行われる。
【００２１】
本発明に使用される逆浸透膜装置１３は、水温６０℃以上の熱水を通水したときの、透過水の導電率が４５μＳ／ｃｍ以下となるものであり、脱塩率は８５％以上のものが好ましい。
このような逆浸透膜装置１３に装着される逆浸透膜１３１（図示省略）としては、例えば、Ｄｕｒａｔｈｅｒｍ  ＲＯ  ２５４０  ＨＦ（７０℃用）、Ｄｕｒａｔｈｅｒｍ  ＲＯ  ４０４０  ＨＦ（７０℃用）、Ｄｕｒａｔｈｅｒｍ  ＲＯ  ８０４０  ＨＦ（７０℃用）（いずれも米国ＧＥ社製、商品名）等が挙げられる。
【００２２】
電気式脱イオン装置１４は、電極室１４１と濃縮室１４２と脱塩室１４３と、を有している。ここで、具体的な電気式脱イオン装置１４の構造図は省略するが、濃縮室１４２、電極室１４３からは、それぞれ出口配管が設けられている。
なお、濃縮室１４２を流れる濃縮水流路と電極室１４３を流れる電極水流路とが、電気式脱イオン装置１４内部で合流している場合には、濃縮水の出口配管と電極水の出口配管とを共通配管としてもよい。
このような電気式脱イオン装置１４としては、例えば、ＭＫ−２ＭｉｎｉＨＴ（耐熱仕様ＥＤＩ）（ＧＥ社製）が適している。
【００２３】
次に、図２〜５に基づいて、本発明の製造装置１による医薬用精製水の製造方法について説明する。
本発明では、製造装置１内の各装置に熱水を通水し、殺菌処理をした後に通常の精製水製造処理を行う。この熱殺菌工程は、昇温工程、均温工程、降温工程から構成される。以下に、製造装置１による医薬用精製水の製造方法について説明する。
【００２４】
図２に基づいて、殺菌工程における昇温工程のフローを説明する。
初めに、開閉バルブ２１、２２及び切換えバルブ２４、２７を閉とし、濃縮水排出バルブ２３、切換えバルブ、２５、２６を開として、ポンプＰ１を駆動させる。これによって、タンク１２内の原水は、２０〜８０℃の加熱温度に設定した蒸気ヒータ１６に供給し、原水を加熱する。次いで、加熱された原水を、ポンプＰ２を駆動させて蒸気ヒータ１６から逆浸透膜装置１３に供給する。
逆浸透膜装置１３では、被処理水の水温が６０℃以上で脱塩処理が行われる。
逆浸透膜装置１３から排出された濃縮水は、濃縮水排出バルブ２３を介して系外に排出させる。
使用する逆浸透膜装置１３は、被処理水の水温が６０℃以上で透過水の導電率は４５μＳ／ｃｍ以下、好ましくは４０μＳ／ｃｍ以下の性能のものであり、被処理水の水温が６０℃以上で脱塩率が８５％以上のものがより好ましい。
昇温速度としては、温度計Ｔ２で測定される逆浸透膜装置１３への供給水の水温が、５℃／分以下の速度で上昇するように行うことが好ましい。従って、急激な温度上昇が起こらないよう、蒸気ヒータ１６の設定温度、系内の循環水の流速等を適宜調整して行うことが好ましい。
【００２５】
上記のように、常温での逆浸透膜処理を経ずに蒸気ヒータの熱水状態で逆浸透膜装置１３を通過した透過水は、直接電気式脱イオン装置１４の脱塩室１４１、濃縮室１４２、及び電極室１４３に供給される。
脱塩室１４１から排出される処理水は、切換えバルブ２５を介して原水タンク１２に還流される。また、濃縮室１４２及び電極室１４３から排出される処理水も、切換えバルブ２６を介して原水タンク１２に還流される。
この状態で、系内の温度が６０〜９０℃に昇温するまで原水タンク１２内の原水を循環させる。すなわち、原水タンク１２内への新たな水の供給を行わず、原水タンク１２内の水を循環して昇温させるため、系内の昇温に伴って、循環水の精製が進行する。
なお、昇温工程において処理水の循環が繰り返されると、逆浸透膜装置１３に供給される水の導電率は次第に低下する。そして、逆浸透膜装置１３の供給水の導電率が２００μＳ／ｃｍ以下、好ましくは１５０μＳ／ｃｍ以下、さらに好ましくは１００μＳ／ｃｍ以下になると、逆浸透膜装置１３の濃縮水の導電率も原水の導電率と同等又はそれより低くなるので、切換えバルブ２４を開にして原水タンク１２に還流させて、濃縮水の排出による熱の放出を抑制することができる。
【００２６】
次に、図３に基づいて、均温工程のフローを説明する。
開閉バルブ２１、２２、濃縮水排出バルブ２３及び切換えバルブ２７は閉、切換えバルブ２５、２６は開としたままで、切換えバルブ２４を開として、上記昇温工程と同様に、タンク１２内の原水を、６０〜９０℃に設定した蒸気ヒータ１６に供給し、原水の水温を６０〜９０℃に保持した状態でこの原水を蒸気ヒータ１６から逆浸透膜装置１３に供給する。逆浸透膜装置１３では、熱水状態で通水された原水が逆浸透膜１３１により脱塩処理されて濃縮水を得られるが、均温工程における系内の循環水は、既に昇温工程で脱塩処理されているため、この濃縮水は、系外に排出せず、切換えバルブ２４を介して還流配管Ｌ４より原水タンク１２に還流する。
なお、必要に応じて逆浸透膜装置１３の濃縮水の一部を系外に排出するようにしてもよい。
【００２７】
逆浸透膜装置１３を熱水状態で通過した透過水は、上記昇温工程のときと同様、電気式脱イオン装置１４の脱塩室１４１、濃縮室１４２、電極室１４３に直接供給される。脱塩室１４１から排出される処理水は、切換えバルブ２５を介して原水タンク１２に還流される。また、濃縮室１４２及び電極室１４３から排出される処理水も、切換えバルブ２６を介して原水タンク１２に還流される。
このように、逆浸透膜装置１３で得られる濃縮水も含め、製造装置１内の水をすべて循環させることにより、系内の熱をロスすることなく、熱水殺菌を効率的に行うことができる。
この状態で、系内の各装置が十分に殺菌処理されるまで、原水タンク１２内の原水を循環させる。循環回数としては、特に制限されるものではないが、通常は数回から数十回である。
【００２８】
次に、図４に基づいて、降温工程におけるフローを説明する。
開閉バルブ２２を閉、切換えバルブ２５を開としたまま、開閉バルブ２１、濃縮水排出バルブ２３、切換えバルブ２７を開とし、切換えバルブ２４、２６を閉として、活性炭吸着装置１１によって吸着処理がなされた常温の原水を、原水タンク１２内に供給する。
併せて、原水タンク１２内の原水を、加熱動作を停止した蒸気ヒータ１６に供給する。次いでこの原水を、上記均温工程のときと同様、逆浸透膜装置１３に供給する。逆浸透膜装置１３に供給された原水は、逆浸透膜１３１で脱塩処理され、逆浸透膜装置１３で得られた濃縮水は、濃縮水排出バルブ２３を介して系外に排出させる。
被処理水の降温速度は、逆浸透膜装置１３への供給水の水温が、５℃／分以下の速度で降下するように行うことが好ましい。従って、系内に供給する原水タンク１２内の貯留水の水温や、系内の循環水の流速等を適宜調整して、急激な温度低下を抑えて行うことが好ましい。
【００２９】
降温工程においても、脱塩室１４１からの処理水は、切換えバルブ２５を介して原水タンク１２に還流されるが、逆浸透膜装置１３の濃縮水及び電気式脱イオン装置１４の濃縮水、電極水は、それぞれ還流配管Ｌ３並びに還流配管Ｌ６及び分岐管Ｌ６２から系外に排出される。
この状態で、系内の温度が２０〜３０℃に降温するまで原水タンク１２内の原水を循環させる。
【００３０】
なお、本実施形態では、前処理水１０を原水タンク１２に供給するとともに、逆浸透膜装置１３の濃縮水等を系外に放出して系内の水温を降下させることとしたが、例えば、蒸気ヒータ１６のジャケットに冷水を供給して、蒸気ヒータ１６を水冷ジャケットとして用いることもでき、濃縮水等の系外への放出と水冷ジャケットの使用とを併用することもできる。
【００３１】
以上のようにして製造装置１の殺菌処理が終了した後、実際の医薬品用精製水の製造を行う。ここで、系内の循環水は、上記の熱水殺菌工程時に逆浸透膜装置１３によって十分に脱塩処理されているため、この循環水を精製処理することなく、このまま以下の精製水製造工程に供することもできる。
図５は、本発明の精製水の製造方法の精製水製造処理工程のフローを示す図である。
初めに、切換えバルブ２４、２６を閉、開閉バルブ２１、濃縮水排出バルブ２３及び切換えバルブ２７を開としたまま、開閉バルブ２２を開とし、切換えバルブ２５を閉として、タンク１２内の原水を、２０〜３０℃に温度設定した蒸気ヒータ１６にポンプＰ１を駆動させて供給し、次いで、ポンプＰ２を駆動してこの原水を逆浸透膜装置１３に供給し、逆浸透膜１３１によって脱塩処理する。
この際、逆浸透膜装置１３で得られた濃縮水は、濃縮水排出バルブ２３を介して系外に排出させる。
【００３２】
逆浸透膜装置１３の透過水は、電気式脱イオン装置１４の脱塩室１４１、濃縮室１４２及び電極室１４３に供給される。
脱塩室１４１で脱イオン処理がなされた処理水は、開閉バルブ２２を介して供給配管Ｌ２より処理水タンク１５に供給される。濃縮室１４２でイオン濃度の高まった濃縮水は、濃縮室１４２及び電極室１４３から排出され、切換えバルブ２７を介して分岐管Ｌ６２より系外に排出される。
なお、濃縮室１４２、電極室１４３から排出される排水は、原水よりも水質が良い場合には、分岐管Ｌ６１から原水タンクに返送してもよい。
【００３３】
このように、本発明の精製水製造方法は、熱水殺菌工程において、熱水状態で逆浸透膜１３１を通水させた透過水を、直接電気式脱イオン装置１４に供給して熱水殺菌しており、殺菌工程に要する時間を大幅に短縮できる。即ち、従来のように、予め常温の原水を逆浸透膜１３１に通水して純水を製造し、次いでこの純水で原水タンク１２内の原水を置換し、これを電気式脱イオン装置１４に供給する工程を経ないため、殺菌処理に要する処理水やエネルギーを大幅に節減できる。なお、殺菌工程終了後は、系内の水が脱塩処理されているため、速やかに精製水製造処理工程に移行することもできる。
また、このように熱水状態で逆浸透膜１３１を通水させた処理水を、直接電気式脱イオン装置１４に供給しても、電気式脱イオン装置１４への負荷を増大させず、電気式脱イオン装置１４の短命化や処理水の水質低下を招くこともない。
【００３４】
なお、本実施形態では上記の構成の装置１としているが、例えば、原水タンク１２と蒸気ヒータ１６との間に、活性炭吸着装置、膜処理装置を設けることもでき、逆浸透膜装置１３と電気式脱イオン装置１４との間に、ＵＶ照射装置を設けることもできる。
さらに、電気式脱イオン装置１４と切換えバルブ２５との間にＵＶ照射装置、膜処理装置を設けた構成とすることも可能である。
【００３５】
本発明の精製水の製造方法及び製造装置によって得られた処理水は、主に薬剤調整や注射用水等の医薬品製造用として好ましく用いられるが、この処理水の用途としては、医薬品用に限定されるものでなく、例えば半導体製造用、食品用など、幅広い用途に用いることができる。
【実施例】
【００３６】
以下、本発明を実施例によりさらに詳細に説明する。
【００３７】
図１に示した医薬品用精製水の製造装置１を用いて原水（厚木市）の処理を行った。
以下、図２〜図４を用いて説明する。
【００３８】
図１における活性炭吸着装置１１としては、ＡＣボンベＮＣＣ−２００ＡＣ（野村マイクロ・サイエンス株式会社製、商品名）を用い、これに装着する活性炭として、クラレコールＫＷ（クラレケミカル株式会社製、商品名）を用いた。
逆浸透膜１３１としては、Ｄｕｒａｔｈｅｒｍ  ＲＯ  ４０４０  ＨＦ（ＧＥ社製）を用い、電気式脱イオン装置１４としては、ＭＫ−２ＭｉｎｉＨＴ（ＧＥ社製、商品名）を用いた。
【００３９】
（実施例１）
[昇温工程]
逆浸透膜装置１３に、逆浸透膜１３１として「Ｄｕｒaｔｈｅｒｍ  ＲＯ  ４０４０  ＨＦ」（ＧＥ社製、商品名））を装着した製造装置１を用い、上記逆浸透膜１３１に、非加熱の原水（原水導電率１７０μＳ／ｃｍ）を供給して、以下の操作を行った。
ここで、「非加熱」とは、蒸気ヒータ１６等を用いた積極的な加熱処理を行っていないことを意味している。
まず、図２において、活性炭吸着装置１１で予め活性炭処理されて原水タンク１２内に貯留された非加熱の原水（導電率１７０μＳ／ｃｍ）を、図示を省略した温度制御装置により、原水を８０℃に加熱するよう設定した蒸気ヒータ１６に供給して加熱しながら通水し、次いで、加熱された原水（水温２０〜８０℃）を、逆浸透膜装置１３、電気式脱イオン装置１４の順に通水した（逆浸透膜装置１３の処理水の導電率は１０〜２０μＳ／ｃｍ以下（脱塩率は８５％以上）である。）。
電気脱イオン装置１４の脱塩室１４１の流量は１．５Ｌ／ｍｉｎ．／ｃｅｌｌである。
脱塩室１４１からの処理水は、切換えバルブ２５を介して原水タンク１２に返送し、濃縮室１４２、電極室１４３からの処理水は、切換えバルブ２６を介して原水タンク１２に返送して、この状態のまま、系内の温度が８０℃になるまで６０分間循環させた。
なお、逆浸透膜装置１３から排出された濃縮水は、濃縮水排出バルブ２３を介して排出配管Ｌ３より系外に排出した。
【００４０】
[均温工程]
図３において、蒸気ヒータ１６の温度は８０℃に設定したまま、原水タンク１２内の水を、上記昇温工程と同様に、蒸気ヒータ１６、逆浸透膜装置１３、電気式脱イオン装置１４の順に通水した。
脱塩室１４１、濃縮室１４２、電極室１４３からの処理水は、それぞれ切換えバルブ２５、２６を介して還流配管Ｌ５、還流配管Ｌ６により原水タンク１２に返送し、逆浸透膜装置１３から排出された濃縮水も、切換えバルブ２４を介して還流配管Ｌ４により原水タンク１２に返送して、水温８０℃に保持した熱水を、製造装置１内に３０分間循環させた。
なお、電気脱イオン装置１４の脱塩室１４１の流量は１．５Ｌ／ｍｉｎ．／ｃｅｌｌである。
【００４１】
[降温工程]
図４において、蒸気ヒータ１６の加熱動作を停止したうえで、開閉バルブ２１を開放して前処理水１０を原水タンク１２に供給し、原水タンク１２内の熱水と混合する。
同時に、この混合水を、上記の各工程と同様に、蒸気ヒータ１６、逆浸透膜装置１３、電気式脱イオン装置１４の順に通水する。このときの、電気脱イオン装置１４の脱塩室１４１の流量は１．５Ｌ／ｍｉｎ．／ｃｅｌｌとした。
脱塩室１４１からの処理水は、切換えバルブ２５を介して原水タンク１２に還流し、濃縮室１４２、電極室１４３からの処理水は、切換えバルブ２７を介して分岐管Ｌ６２から系外に排出して、この状態のまま、系内の温度が２５〜３０℃になるまで６０分間循環させた。
なお、逆浸透膜装置１３からの濃縮水は、濃縮水排出バルブ２３を介して排出配管Ｌ３より系外に排出した。
降温工程が終了した時点での、逆浸透膜１３１へ供給される水の導電率は１２０μＳ／ｃｍであった。
ちなみに、逆浸透膜装置１３へ供給される水の導電率が、殺菌工程前の導電率（１７０μＳ／ｃｍ）に上昇するまで、さらに２０分間必要であった。
この実施例において、殺菌工程開始時から殺菌工程を終了するまで（殺菌工程前の導電率（１７０μＳ／ｃｍ）に回復するまで）に要した時間は、１７０分であった。
【００４２】
殺菌処理を行う前の電気脱イオン装置１４の脱塩室１４１出口の生菌数は２．１ｃｆｕ／ｍｌであったが、上述した一連の殺菌処理を行った結果、脱塩室１４１出口の生菌数は０．１ｃｆｕ／ｍｌとなった。
【００４３】
（参考例１）
図６に示す純水製造装置１´を用いて、以下の操作を行った。
なお、純水製造装置１´は、図１に示す純水製造装置１の逆浸透膜装置１３と電気脱イオン装置１４とを接続する配管上に、切換えバルブ２８を設けると共に、逆浸透膜装置１３及び切換えバルブ２８間に、切換えバルブ２９を介して還流配管Ｌ５と接続する配管Ｌ７を設けたものであり、他の構成は、図１に示す純水製造装置と同様である。
参考例１において、逆浸透膜装置１３に装着する逆浸透膜１３１としては、「ＳＵ−７１０Ｔ」（東レ社製、商品名）を使用した。
【００４４】
図６において、切換えバルブ２８を閉とし、切換えバルブ２４、２９を開とし、他の切換えバルブ及び開閉バルブは全て閉として、原水タンク１２内の非加熱の原水を、８０℃に設定した蒸気ヒータ１６、逆浸透膜装置１３の順に通水した。逆浸透膜装置１３の透過水は、配管Ｌ７及び還流配管Ｌ５を介して原水タンク１２に返送し、逆浸透膜装置１３の濃縮水も、還流配管Ｌ４を介して原水タンク１２に返送した。
この状態のまま、電気脱イオン装置１４はバイパスして系内の水の温度が８０℃になるまで循環させ（昇温工程）、その後、系内の水の水温を８０℃に保持して、製造装置１´内に３０分間循環させた（均温工程）。
均温工程時の逆浸透膜装置１３の処理水の導電率は、６０μＳ／ｃｍ（脱塩率は約６５％）であり、電気式脱イオン装置１４に供給できる水質の処理水は得られなかった。
【００４５】
（参考例２）
図１に示す製造装置１の逆浸透膜装置１３に、参考例１で用いた「ＳＵ−７１０Ｔ」（東レ社製、商品名）を逆浸透膜１３１として装着し、以下の操作を行った。
【００４６】
処理水タンク１５内に貯留されている電気式脱イオン装置１４の処理水を原水タンク１２に還流して、原水タンク１２内の被処理水が逆浸透膜装置１３の供給口入口において導電率が１００μＳ／ｃｍ以下になるまで希釈して、逆浸透膜装置１３の処理水の導電率を１０μＳ／ｃｍ以下にした。この操作に３０分を要した。
以下、昇温工程と均温工程は実施例と同様の方法で、殺菌処理を行った。（逆浸透膜装置１３の処理水の導電率は１０〜２０μＳ／ｃｍであった。）
降温工程では、逆浸透膜装置１３に供給する水の導電率の上昇を抑制するため、開閉バルブ２１を閉として原水タンク１２に対する前処理水１０の供給は行わず、蒸気ヒータ１６のジャケットに冷水を供給し、他の点は実施例の降温工程と同様にして、系内の温度が２５〜３０℃になるまで６０分間循環させた。
降温工程が終了した時点での、逆浸透膜１３１へ供給される水の導電率は２０μＳ／ｃｍ以下であった。
ちなみに、逆浸透膜装置１３へ供給される水の導電率が、殺菌工程前の導電率（１７０μＳ／ｃｍ）に上昇するまでに、さらに６０分間必要であった。
この参考例において、殺菌工程開始時から殺菌工程を終了するまで（殺菌工程前の導電率（１７０μＳ／ｃｍ）に回復するまで）に要した時間は２４０分であった。
【００４７】
殺菌処理を行う前の電気脱イオン装置１４の脱塩室１４１出口の生菌数は３．１ｃｆｕ／ｍｌであったが、上述した一連の殺菌処理を行った結果、脱塩室１４１出口の生菌数は０．２ｃｆｕ／ｍｌとなった。
【産業上の利用可能性】
【００４８】
本発明の精製水の製造方法及び製造装置は、医薬品用等の精製水の製造に用いることができ、とくに精製水の製造前に、系内を熱水殺菌する精製水の製造の際に用いることができる。
【符号の説明】
【００４９】
１  医薬品用精製水製造装置
１０  前処理水
１１  活性炭吸着装置
１２  原水タンク
１３  逆浸透膜装置
１３１  逆浸透膜
１４  電気式脱イオン装置
１５  処理水タンク
１６  蒸気ヒータ
２１、２２  開閉バルブ
２３  濃縮水排出バルブ
２４〜３０  切換えバルブ
【図１】
2011147880.tif 000003
【図２】
2011147880.tif 000004
【図３】
2011147880.tif 000005
【図４】
2011147880.tif 000006
【図５】
2011147880.tif 000007
【図６】
2011147880.tif 000008